(57)【要約】【課題】簡易な操作で組み立て、分解できる棺を提供する。【解決手段】ナノサイズの材質か、分解可能なプラスチック材か、もしくは可食性の材質を射出成型、鋳造、もしくは鍛造によって底板と、該底板の前後、左右の側面に設けられる側面板と、該底板の四隅に立設する支持柱体と、蓋体とを形成し、該支持柱体は、円柱の円周の一部を切り欠き、縦方向に溝部を形成するとともに、該溝部は切開面が９０度を形成し、旦つ該溝部に嵌合部を形成し、それぞれの支持柱体の該溝部の切開面が対向するように底板の四隅に立設し、該側面板は、長手方向の両端面であって、該支持柱体の嵌合部に対応する位置に嵌合部を形成し、それぞれの嵌合部を嵌合させて、該側面板を固定し、内部収納空間を形成する。【選択図】図１
2005073984.tif 000002
【特許請求の範囲】
【請求項１】
ナノサイズの材質か、分解可能なプラスチック材か、もしくは可食性の材質を射出成型、鋳造、もしくは鍛造によって形成される部材を組み立ててなる棺であって、
底板と、該底板の前後、左右の側面に設けられる側面板と、該底板の四隅に立設する支持柱体と、蓋体とによって構成され、
該支持柱体は、円柱の円周の一部を切り欠き、縦方向に溝部を形成するとともに、該溝部は切開面が９０度を形成し、且つ該溝部に嵌合部を形成し、それぞれの支持柱体の該溝部の切開面が対向するように底板の四隅に立設し、
該側面板は、長手方向の両端面であって、該支持柱体の嵌合部に対応する位置に嵌合部を形成し、それぞれの嵌合部を嵌合させて、該側面板を固定し、内部収納空間を形成することを特徴とする棺。
【請求項２】
前記支持柱体は、底面に円周を２等分する線に沿って外方向にそれぞれ突起する係合ブロックを形成し、該底板の支持柱体を設ける位置には、該支持柱体を嵌挿する位置決め孔部を形成し、且つ該位置決め孔部には、円周上の該支持柱体の係合ブロックに対応する位置に、該係合ブロックが嵌挿する位置決め溝を形成することを特徴とする請求項１に記載の棺。
【請求項３】
前記底板には、外周に沿ってフレームを設け、該フレームの四隅には略Ｔ字状を呈する嵌合溝を形成するとともに、該支持柱体の底面には、該支持柱体の嵌合溝に対応する位置に同様のＴ字状を呈する係合突起を形成することを特徴とする請求項１に記載の棺。
【請求項４】
前記側面板は、長手方向の両端縁部と、該底板に接する端縁部に少なくとも１以上のほぞを形成し、該支持柱体は四角柱の一部を縦方向に切り欠き、溝部を形成するとともに、該溝部の切開面は９０度を呈するようにし、該溝部内には該側面板のほぞに対応するほぞ孔を形成し、さらに底板には外周に沿ってフレームを設けて、該フレームの該側面板のほぞ孔には可動ピンを設け、該ほぞ孔に対応するほぞの該可動ピンに対応する位置に嵌挿孔を形成することを特徴とする請求項１に記載の棺。
【請求項５】
前記底板の外周には、レール溝が形成されるレールを設け、該側面板を該レールの一端から該レール溝内に摺動させて嵌挿することを特徴とする請求項１に記載の棺。
【請求項６】
前記側面板は、底端縁部が水平方向に延伸して水平部を形成し、断面が略Ｌ字状を呈するように形成し、該水平部には長手方向にレールを形成するとともに、該底板の底面には外周に沿って該レールに対応するレール溝を形成することを特徴とする請求項１に記載の棺。
【請求項７】
前記底板は、外周に沿ってレールを形成し、該側面板は、底端縁部に該レールに対応するレール溝を形成することを特徴とする請求項１に記載の棺。
【請求項８】
前記底板には、外周に沿って突起したレール溝を形成し、該レール溝は、断面がフック状を呈し、内部にガイド空間を有するとともに、該側面板は、底端縁部が外方向に向かって水平に延伸してガイドレールを形成し、該レール溝に該ガイドレールを嵌挿して、側面板を回動自在に設けるか、もしくは該側面板を該底板に軸支するか、もしくはヒンジを設けて該側面板を該底板に回動自在に設けることを特徴とする請求項１に記載の棺。
【請求項９】
前記側面板は、上下２つの部分に分けて形成し、着脱自在に設けるとともに、該側面板の外面には、装飾を施したプレート、もしくは画像を立体に表示することのできる画像表示パネルなどを設けるための左右対称の支持レールを形成することを特徴とする請求項１に記載の棺。
【請求項１０】
前記蓋体は、内部を中空にして発光体などの光源を設けるか、もしくは外面に光源を設けることを特徴とする請求項１から請求項９のうちいずれか一項に記載の棺。
【発明の詳細な説明】
【技術分野】
【０００１】
本発明は、棺に関し、簡易な操作で組み立てられる棺に関する。
【背景技術】
【０００２】
従来の棺は、長方形を呈した底板と、底板の周辺に設けられる４枚の側面板と、蓋体とによって、内部に亡くなった人が横臥できる内部空間を形成する。即ち、該底板の外周を囲むように設けられる４枚の側面板は、直接釘を打ち付けるか、或いは方形のほぞを形成して嵌合させ、さらに釘を打ち付けて連結し、箱体を形成する。通常、喪主は棺の外側を高級な板材で囲んだり、表面に彫刻を施したりするよう業者に要求することが多い。これは、出棺の時、体面を良くするためでもあり、死者に対する尊敬の念を表わすことにもなる。
【０００３】
棺自体に価値があるとされるのは、一部の森林資源に限りがある、入手の難しい木材を使用するためである。このため、材料のコストは自ずから高くなる。但し、火葬する場合は棺をも燃やすため、かかる価値の有る材質を使用しても、森林資源の浪費になるばかりである。
【０００４】
従来の棺に見られる欠点を挙げると次のとおりである。
１．従来の構造は組み立てが容易でなく、製造に時間と手間がかかる。
２．火葬する場合は、棺全体を燃やすため森林資源の浪費になる。
３．運送、もしくは収納時に広い空間を必要とするため実用的でない。
４．従来の棺は木材によってなり、表面に彫刻を施す場合が多い。このため生産速度に影響を与え生産性が低い。
５．従来の棺は、表面に塗料を塗布するため、火葬する時に有毒な気体が発生して空気の汚染に繋がり、環境保全の観念にそぐわない。
【０００５】
よって、上述の欠点を如何に改善して、かかる欠点によって発生する損失を最低限に抑制するかが、業界において開発の課題となっている。
【発明の開示】
【発明が解決しようとする課題】
【０００６】
この発明は、棺を構成するそれぞれの板材が簡易な操作で組み立てることができ、生産速度を高めることのできる棺を提供することを課題とする。
【０００７】
また、この発明は組み立て、分解が容易で、搬送、収納の際に空間を占めない棺を提供することを課題とする。
【０００８】
さらにこの発明は、火葬する場合に有害な気体が発生することなく、土葬する場合は土壌に分解し、環境保全の観念に沿うとともに、森林資の源節につながる棺を提供することを課題とする。
【課題を解決するための手段】
【０００９】
そこで、本発明者は従来の技術に見られる欠点に鑑み鋭意研究を重ねた結果、ナノサイズの材質か、分解可能なプラスチック材か、もしくは可食性の材質を射出成型、鋳造、もしくは鍛造によって部材を形成し、かかる部材を着脱自在に組み立ててなる棺の構造によって課題を解決できる点に着眼し、かかる知見に基づいて本発明を完成させた。
【００１０】
以下、この発明について具体的に説明する。
請求項１に記載する棺は、ナノサイズの材質か、分解可能なプラスチック材か、もしくは可食性の材質を射出成型、鋳造、もしくは鍛造によって形成される部材を組み立ててなる棺であって、底板と、該底板の前後、左右の側面に設けられる側面板と、該底板の四隅に立設する支持柱体と、蓋体とによって構成され、
該支持柱体は、円柱の円周の一部を切り欠き、縦方向に溝部を形成するとともに、該溝部は切開面が９０度を形成し、旦つ該溝部に嵌合部を形成し、それぞれの支持柱体の該溝部の切開面が対向するように底板の四隅に立設し、
該側面板は、長手方向の両端面であって、該支持柱体の嵌合部に対応する位置に嵌合部を形成し、それぞれの嵌合部を嵌合させて、該側面板を固定し、内部収納空間を形成する。
【００１１】
請求項２に記載する棺は、請求項１における支持柱体は、底面に円周を２等分する線に沿って外方向にそれぞれ突起する係合ブロックを形成し、該底板の支持柱体を設ける位置には、該支持柱体を嵌挿する位置決め孔部を形成し、且つ該位置決め孔部には、円周上の該支持柱体の係合ブロックに対応する位置に、該係合ブロックが嵌挿する位置決め溝を形成する。
【００１２】
請求項３に記載する棺は、請求項１における底板には、外周に沿ってフレームを設け、該フレームの四隅には略Ｔ字状を呈する嵌合溝を形成するとともに、該支持柱体の底面には、該支持柱体の嵌合溝に対応する位置に同様のＴ字状を呈する係合突起を形成する。
【００１３】
請求項４に記載する棺は、請求項１における側面板は、長手方向の両端縁部と、該底板に接する端縁部に少なくとも１以上のほぞを形成し、該支持柱体は四角柱の一部を縦方向に切り欠き、溝部を形成するとともに、該溝部の切開面は９０度を呈するようにし、該溝部内には該側面板のほぞに対応するほぞ孔を形成し、さらに底板には外周に沿ってフレームを設けて、該フレームの該側面板のほぞ孔には可動ピンを設け、該ほぞ孔に対応するほぞの該可動ピンに対応する位置に嵌挿孔を形成する。
【００１４】
請求項５に記載する棺は、請求項１における底板の外周には、レール溝が形成されるレールを設け、該側面板を該レールの一端から該レール溝内に摺動させて嵌挿する。
【００１５】
請求項６に記載する棺は、請求項１における側面板は、底端縁部が水平方向に延伸して水平部を形成し、断面が略Ｌ字状を呈するように形成し、該水平部には長手方向にレールを形成するとともに、該底板の底面には外周に沿って該レールに対応するレール溝を形成する。
【００１６】
請求項７に記載する棺は、請求項１における底板は、外周に沿ってレールを形成し、該側面板は、底端縁部に該レールに対応するレール溝を形成する。
【００１７】
請求項８に記載する棺は、請求項１における底板には、外周に沿って突起したレール溝を形成し、該レール溝は、断面がフック状を呈し、内部にガイド空間を有するとともに、該側面板は、底端縁部が外方向に向かって水平に延伸してガイドレールを形成し、該レール溝に該ガイドレールを嵌挿して、側面板を回動自在に設けるか、もしくは該側面板を該底板に軸支するか、もしくはヒンジを設けて該側面板を該底板に回動自在に設ける。
【００１８】
請求項９に記載する棺は、請求項１における側面板は、上下２つの部分に分けて形成し、着脱自在に設けるとともに、該側面板の外面には、装飾を施したプレート、もしくは画像を立体に表示することのできる画像表示パネルなどを設けるための左右対称の支持レールを形成する。
請求項１０に記載する棺は、請求項１から請求項９における蓋体は、内部を中空にして発光体などの光源を設けるか、もしくは外面に光源を設ける。
【発明の効果】
【００１９】
本発明による棺は、火葬する場合、有害な気体が発生することなく、土葬する場合、土壌で分解し、環境保全の観念に適応する効果を有する。
【００２０】
また、本発明による棺は、簡易な操作で組み立てることができ、運送に便利で、旦つ倉庫などに収納する場合、空間を占めることがない。
【００２１】
また、生産性を高め、製造コストを節減する効果を有する。
【発明を実施するための最良の形態】
【００２２】
この発明は、簡易な操作で組み立てられる棺を提供するものであって、ナノサイズの材質か、分解可能なプラスチック材か、もしくは可食性の材質を射出成型、鋳造、もしくは鍛造によって部材を形成し、かかる部材を着脱自在に組み立てて構成する。
【００２３】
かかる棺の構造と特徴を詳述するために具体的な実施例を挙げ、図示に基づいて以下に説明する。
【実施例１】
【００２４】
この発明の分解図を図１に開示する。棺１０は、ナノサイズ材質か、分解可能なプラスチック材か、もしくは可食性の材質を用い、射出成型、鋳造、もしくは鍛造によってそれぞれの部材を形成する。さらに、かかる部材を組み立てて、組み立て、分解が容易な棺１０を構成する。よって、火葬する場合は有害な気体が発生することなく、土葬する場合は土壌で自然に分解される。また、倉庫などに収納する場合に空間を占めることなく、輸送に便利であり、環境保全の観念に符合するとともに、生産性を高め、経済的効果を高めることができる。
【００２５】
棺１０は、長方形を呈して形成される底板１６と、底板１６の前後、左右側面に設ける側面板１１、１２、１３、１４と、該底板１６の四隅に設けられる支持柱体１７と、蓋体１５とによって構成される。
【００２６】
該支持柱体１７は、円柱の円周の一部を切り欠き、縦方向に溝部を形成する。該溝部は切開面が９０°を形成するとともに、それぞれの支持柱体は、切開面が対向するように底板１６の四隅に立設する。さらに、該構内に嵌合部１７１を形成する。
【００２７】
また、側面板１１、１２、１３、１４は、それぞれの隣り合う両側面に、該支持柱体１７の嵌合部１７１に対応する位置に嵌合部１１１、１２１、１３１、１４１を形成する。棺１０は、側面板１１、１２、１３、１４の嵌合部１１１、１２１、１３１、１４１を支持柱体１７の嵌合部１７１に嵌合して内部空間を形成し、最後に蓋１５を上面に設けて棺１０の形態を形成する。
【００２８】
図１、２に開示するように、支持柱体１７は、底面に円周を２等分する線に沿って外方向にそれぞれ突起する係合ブロック１７２を形成する。また、底板１６の支持柱体１７を設ける位置には、支持柱体１７を嵌挿する位置決め孔部１６１を形成する。位置決め孔部１６１は、円周上の該支持柱体１７の係合ブロック１７２に対応する位置に、該係合ブロック１７２が嵌挿する位置決め溝１６２を形成する。支持柱体１７を底板１６に立設した場合、側面板１１、１２、１３、１４を位置決めするために、支持柱体１７の縦方向に形成した溝部が互いに対向するように設ける。
【実施例２】
【００２９】
この発明の第２の実施例を図３に開示する。図面によれば、底板１６には、外周に沿ってフレーム１６３を設ける。該フレーム１６３の四隅には略Ｔ字状を呈する嵌合溝１６４を形成する。また、支持柱体１７の底面には、該支持柱体１７の嵌合溝１６４に対応する位置に同様のＴ字状を呈する係合突起１７３を形成し、該係合突起１７３をフレーム１６３の嵌合溝１６４に嵌合して支持柱体１７を立設する。次いで、側面板１２、１３などを位置決めして、棺の内部空間を形成する。
【実施例３】
【００３０】
この発明の第３の実施例を図４に開示する。図面によれば、側面板１１、１２、１３、１４は、長手方向の両端縁部と底板１６に接する端縁部に少なくとも１以上のほぞ１１２、１２２、１３２、１４２を形成する。支持柱体１７は四角柱の一部を縦方向に切り欠き、溝部を形成する。溝部の切開面は９０度を呈するようにし、該溝部内には該側面板１１、１２、１３、１４のほぞ１１２、１２２、１３２、１４２に対応するほぞ孔１７４を形成するとともに、底板１６には第２の実施例と同様にフレーム１６３を設けて該フレーム１６３に側面板１１、１２、１３、１４のほぞに対応する位置にほぞ孔を形成し、それぞれのほぞ１１２、１２２、１３２、１４２を対応するそれぞれのほぞ孔に嵌合させて、側面板１１、１２、１３、１４を固定し、棺の内部収納空間を形成する。さらに、ほぞ孔１７４には、可動ピン１７４１を設け、ほぞ１１２、１２２、１３２、１４２の該可動ピン１７４１に対応する位置に嵌挿孔１１２１、１２２１、１３２１、１４２１を形成する。このため、側面板１１、１２、１３、１４と支持柱体１７を組み立てた場合、固定力を高めることができる。
【実施例４】
【００３１】
この発明の第４の実施例を図５に開示する。図面によれば、底板１６の外周にはレール溝１６５が形成されるレール１１３、１２３、１３３、１４３を形成する。棺を組み立てる場合は、側面板１１、１２、１３、１４をレール１１３、１２３、１３３、１４３の一端からレール溝１６５内に摺動させて嵌挿し、内部空間を形成する。係る構造は、支持柱体１７を必要としない。
【実施例５】
【００３２】
この発明の第５の実施例を図６に開示する。図面によれば、側面板１１、１２、１３、１４は、底端縁部が水平方向に延伸して水平部１１４、１２４、１３４、１４４を形成し、略Ｌ字状を呈するように形成する。該水平部１１４、１２４、１３４、１４４には長手方向にレール１１５、１２５、１３５、１４５を形成するとともに、該底板１６の底面には外周に沿って該レール１１５、１２５、１３５、１４５に対応するレール溝１６６を形成し、レール１１５、１２５、１３５、１４５を該レール溝１６６に嵌挿させて側面板１１、１２、１３、１４と底板１６とを嵌合させる。
【実施例６】
【００３３】
この発明の第６の実施例を図７に開示する。図面によれば、底板１６は外周に沿ってレール１６５'を形成し、上述のレール溝１６６の代替とする。側面板１１、１２、１３、１４は、底端縁部に該レール１６５'に対応するレール溝１１３'、１２３'、１３３'、１４３'を形成し、側面板１１、１２、１３、１４のレール溝１１３'と底板１６のレール１６５'とを嵌挿させて固定し、内部空間を形成する。この構造においても支持柱体１７を設けることなく側面板１１、１２、１３、１４を連結することができる。
【実施例７】
【００３４】
この発明の第７の実施例を図８に開示する。図面によれば、底板１６には、外周に沿って突起したレール溝１６７を形成する。レール溝１６７は、断面がフック状を呈し、内部にガイド空間を有する。側面板１１、１２、１３、１４は、底端縁部が外方向に向かって水平に延伸してガイドレール１１６、１２６、１３６、１４６を形成する。側面板１１、１２、１３、１４を底板１６に設ける場合は、該レール溝１６７にガイドレール１１６、１２５、１３６、１４６を嵌挿させる。この場合、側面板１１、１２、１３、１４を底板１６上に倒すと、ガイドレール１１６、１２６、１３６、１４６がレール溝１６７のガイド空間内に至り、側面板１１、１２、１３、１４を折畳んだ状態にすることができる。このため、倉庫などに収納する場合、取り扱いが便利で、且つ収納空間を節約することができる。側面板１１、１２、１３、１４を折畳み自在に設ける構造は、その他周知の部材、もしくは方法（軸支、ヒンジなど）で代替してもよい。
【実施例８】
【００３５】
この発明の第８の実施例を図９、１０に開示する。図面によれば、側面板１１、１２、１３、１４は上下２つの部分に分けて形成し、着脱自在に設ける。側面板１１、１２、１３、１４の上下の部分を着脱自在に連結する方法は、従来のいかなる方法であってもよく、図面にはその一実施例としてレールとレール溝による連結方法を開示する。かかる方法は、従来の技術に属するためここでは詳述しない。
【実施例９】
【００３６】
この発明の第９の実施例を図１１に開示する。側面板１１、１２、１３、１４の連結は、図面に開示するように、両端縁部にフック部を一体に係合してもよい。
【００３７】
また、図１２に開示するように、側面板１１、１２、１３、１４の外面には、左右対称の支持レール１１７、１２７、１３７、１４７を形成する。該支持レール１１７、１２７、１３７、１４７には装飾を施したプレート、もしくは画像を立体に表示することのできる画像表示パネルなどを設ける。かかる装飾を施したプレート、もしくは画像表示パネルによって死者の生前の功績などを表示するか、もしくは外観の装飾の目的を達成する。
【００３８】
棺１０に設けられる蓋体１５は、前述のそれぞれの実施例において共通して用いられるものである。また蓋体１５は、内部を中空にして発光体などの光源を設けるか、もしくは外面に光源を設けてもよく、この場合、発光体を発光させることによって棺の外観に視覚的な美観を与えることができる。
【図面の簡単な説明】
【００３９】
【図１】この発明による棺の分解図である。
【図２】図１に開示する棺の局部拡大図である。
【図３】第２の実施例における棺の連結構造を表わす説明図である。
【図４】第３の実施例における棺の連結構造を表わす説明図である。
【図５】第４の実施例における棺の連結構造を表わす説明図である。
【図６】第５の実施例における棺の連結構造を表わす説明図である。
【図７】第６の実施例における棺の連結構造を表わす説明図である。
【図８】第７の実施例における棺の連結構造を表わす説明図である。
【図９】第８の実施例における側面板の上下連結構造を表わす説明図である。
【図１０】第８の実施例における側面板の他の上下連結構造を表わす説明図である。
【図１１】第９の実施例における側面板同士の連結構造を表わす説明図である。
【図１２】この発明における棺の側面板の一例を表わす斜視図である。
【符号の説明】
【００４０】
１０      棺
１１，１２，１３，１４      側面板
１１１，１２１，１３１，１４１１      嵌合部
１１２，１２２，１３２，１４２      ほぞ
１１２１，１２２１，１３２１，１４２１      嵌挿孔
１１３，１２３，１３３，１４３      レール
１１３’，１２３’，１３３’，１４３’      レール溝
１１４，１２４，１３４，１４４      水平部
１１５，１２５，１３５，１４５      レール
１１６，１２６，１３６，１４６      ガイドレール
１１７，１２７，１３７，１４７      支持レール
１５      蓋体
１６      底板
１６１      位置決め孔部
１６２      位置決め溝
１６３      フレーム
１６４      嵌合溝
１６５，１６６，１６７      レール溝
１６５’      レール
１７      支持柱体
１７１      嵌合部
１７２      係合ブロック
１７３      係合突起
１７４      ほぞ孔
１７４１      可動ピン
【図１】
2005073984.tif 000003
【図２】
2005073984.tif 000004
【図３】
2005073984.tif 000005
【図４】
2005073984.tif 000006
【図５】
2005073984.tif 000007
【図６】
2005073984.tif 000008
【図７】
2005073984.tif 000009
【図８】
2005073984.tif 000010
【図９】
2005073984.tif 000011
【図１０】
2005073984.tif 000012
【図１１】
2005073984.tif 000013
【図１２】
2005073984.tif 000014